(57)【要約】【課題】タブの中心軸の、箱部断面の中心軸からの偏位が大きい端子を用いるコネクタであっても、防水性に対する不安がない防水コネクタを提供する。【解決手段】電線付き端子、該電線付き端子の挿入口及び収納室を有するハウジング本体、該ハウジング本体の端子挿入口の中心とほぼ同心の電線挿通孔を有する防水手段、及び、該防水手段を保持すると共に前記端子挿入口に挿入する前記電線付き端子を案内する案内筒を有するリアホルダとを備える防水コネクタにおいて、前記案内筒に挿入された前記端子の先端が、傾斜した状態で前記電線挿通孔に到達可能とするテーパ部が該案内筒入り口付近に設けられている防水コネクタ。【選択図】図１
2007123036.tif 000002
【特許請求の範囲】
【請求項１】
電線付き端子、
該電線付き端子の挿入口及び収納室を有するハウジング本体、
該ハウジング本体の該端子挿入口の中心とほぼ同心の電線挿通孔を有する防水手段、及び、
該防水手段を保持すると共に前記端子挿入口に挿入する前記電線付き端子を案内する案内筒を有するリアホルダとを備える防水コネクタにおいて、
前記案内筒に挿入された前記端子の先端が、傾斜した状態で前記電線挿通孔に到達可能とするテーパ部が該案内筒入り口付近に設けられていることを特徴とする防水コネクタ。
【請求項２】
前記電線付き端子が、前記ハウジング本体への挿入方向先端に相手方コネクタ内の雌端子に挿入されて該雌端子と電気接続するための棒状のタブ、及び、該棒状のタブの電線固定側に箱部を有し、
前記タブの中心軸と前記箱部断面の中心軸とが一致しない端子であることを特徴とする請求項１に記載の防水コネクタ。
【発明の詳細な説明】
【技術分野】
【０００１】
本発明は、電気的接続に用いられる防水コネクタに関する。
【背景技術】
【０００２】
電気的接続に供せられるコネクタのうち雌コネクタには、通常、棒状のタブを有する端子が用いられている。
【０００３】
このような従来技術に係る雌コネクタのコネクタハウジングの一例を図６（電線付き端子が挿入される途中の状態を示す部分拡大モデル断面図）に示す。
【０００４】
雌コネクタαは、コネクタハウジングα１とコネクタハウジングα１内部に挿入される端子１’とからなる。
【０００５】
コネクタハウジングα１は、ハウジング本体２’、防水手段４’及びリアホルダ３’の３主要部からなる。
【０００６】
ハウジング本体２’は電線付き端子１’を挿入する端子挿入口２ａ’を有し、該端子挿入口２ａ’を通じて挿入された前記電線付き端子１’を収容する。
【０００７】
防水手段４’は、ハウジング本体２’の端子挿入口２ａ’の中心軸とほぼ同心の電線挿通孔４ｂ’を有し、前記電線の周囲を防水するゴムなどのエラストマー等の柔軟な材質からなる。
【０００８】
さらにリアホルダ３’は、該防水手段４’を保持すると共に前記端子挿入口２ａ’に挿入する電線付き端子１’を案内する案内筒３ａ’を有する。
【０００９】
一方、端子１’はコネクタハウジングα１への挿入方向先端に、図示しない相手方コネクタと接続した際に相手方コネクタ内の雌端子に挿入されて該雌端子と電気接続するための棒状のタブ１ａ’、電線に接続するための電線接続部１ｂ’、箱部１ｃ’を有し、かつ、上記タブ１ａ’の中心軸と上記箱部１ｃ’の中心軸とが一致しない端子である。
【００１０】
ここで、防水手段４’の電線挿通孔４ｂ’は、コネクタハウジングα１の端子挿入口２ａ’の中心とほぼ同心であって、その内径は電線外径よりも細くなっているので、端子１’が電線挿通孔４ｂ’を通過する際には電線挿通孔４ｂ’を押し広げて通過する。
【００１１】
しかしながら、電線付き端子１’はタブ１ａ’の中心軸と上記箱部１ｃ’の中心とが一致しない端子であり、そのため図６にモデル的に示されているように、端子１’の棒状のタブ１ａ’の先端が、電線挿通孔４ｂ’の内面に２条設けられた電線シールリップ４ａ’の側面に当接したのち、電線挿通孔４ｂ’を押し広げ、その内面を擦過しながら通過する。
【００１２】
このような擦過により、電線挿通孔４ｂ’に傷が付くおそれがあり、その結果、電線シールリップ４ａ’と電線被覆層との間に構成される防水構造に不安があった。
【００１３】
このように、特開２００２−１８４５０８号公報（特許文献１）に記載された、タブの中心軸と箱部の中心軸とが一致しないタイプの端子は特開平０７−０５７８１５号公報（特許文献２）に記載されたタイプの防水コネクタへの応用は困難であった。
【特許文献１】特開２００２−１８４５０８号公報
【特許文献２】特開平０７−０５７８１５号公報
【発明の開示】
【発明が解決しようとする課題】
【００１４】
本発明は、上記した従来の問題点を改善する、すなわち、箱部の１つの面を延設してタブを構成した場合など、端子挿入方向に平行な、タブの中心軸の、箱部断面の中心軸からの偏位が大きい端子を用いるコネクタであっても、防水性に対する不安がない防水コネクタを提供することを目的とする。
【課題を解決するための手段】
【００１５】
本発明の防水コネクタは上記課題を解決するため、請求項１に記載の通り、電線付き端子、該電線付き端子の挿入口及び収容室を有するハウジング本体、該ハウジング本体の該端子挿入口の中心とほぼ同心の電線挿通孔を有する防水手段、及び、該防水手段を保持すると共に前記端子挿入口に挿入する前記電線付き端子を案内する案内筒を有するリアホルダとを備える防水コネクタにおいて、前記案内筒に挿入された前記端子の先端が傾斜した状態で前記電線挿通孔に到達可能とするテーパ部が該案内筒入り口付近に設けられていることを特徴とする。
【発明の効果】
【００１６】
本発明の防水コネクタによれば、ハウジング本体挿入方向に垂直な最太部の断面での中心軸と先端とが一致しない端子を用いるコネクタであっても、防水性に対する不安がない防水コネクタとすることができる。
【発明を実施するための最良の形態】
【００１７】
以下、本発明について図面を用いて説明する。図１には本発明に係る防水コネクタ（この場合、雌コネクタ）Ａを形成する、コネクタハウジングＡ１（図１（ａ））のモデル断面図、及び、電線に接続されて用いられる端子１（図１（ｂ））のモデル斜視図を示す。
【００１８】
また、図２（ａ）には、コネクタハウジングＡ１の防水手段である一体ゴム栓４付近の拡大断面図を、図２（ｂ）には電線１ｄに接続された端子１のモデル側面図を、それぞれ示す。
【００１９】
雌コネクタＡは、コネクタハウジングＡ１とコネクタハウジングＡ１内部に挿入される端子１とからなる。
【００２０】
さらに、コネクタハウジングＡ１は、ハウジング本体２、防水手段４及びリアホルダ３の３主要部からなる。
【００２１】
ハウジング本体２は電線付き端子１を挿入する端子挿入口２ａを有し、該端子挿入口２ａを通じて挿入された前記電線付き端子１を収容する。
【００２２】
防水手段４はハウジング本体２の該端子挿入口２ａの中心と同心ないしほぼ同心（本発明ではこれらを併せて「ほぼ同心」という）の電線挿通孔４ｂを有し、前記電線１ｄの周囲を防水するゴムなどのエラストマー等の柔軟な材質からなり、この例ではゴムからなる一体ゴム栓４が用いられている。
【００２３】
さらにリアホルダ３は、一体ゴム栓４を保持すると共に端子挿入口２ａに挿入する電線付き端子１を案内する案内筒３ａを有する。
【００２４】
一方、端子１はコネクタハウジングＡ１への挿入方向先端に、図示しない相手方コネクタと接続した際に相手方コネクタ内の雌端子に挿入されて該雌端子と電気接続するための棒状のタブ１ａ、電線１ｄに接続するための電線接続部１ｂ、及び、上記タブ１ａと電線接続部１ｂとの間に、箱部１ｃを有し、かつ、上記タブ１ａの中心軸と上記箱部１ｃの中心軸とが一致しない端子である（図２（ｂ）に示すようにこの２つの軸の間には距離ｔがある）。
【００２５】
図２に示されるように一体ゴム栓４は案内筒３ａを有するリアホルダ３によって、ハウジング本体２の一体ゴム栓収納部２ｂ内部の所定の位置に保持されている。また、リアホルダ３はそのフード部３ｂによって、ハウジング本体２の端子挿入側端をカバーすると共に、図示しない係止手段によってハウジング本体２に対して固定されている。
【００２６】
ここで、案内筒３ａの入り口付近には、後述するように、案内筒３ａに挿入された端子１の先端が端子挿入方向に対してタブの中心軸が傾斜した状態で電線挿通孔４ｂに到達可能とするテーパ部３ｃが案内筒３ａ入り口付近に設けられている。
【００２７】
一体ゴム栓４の外周（外側面）にはハウジング本体２の端子挿入口２ａの端子挿入側に設けられた筒状の内部空間の一体ゴム栓収納部２ｂ内壁に水密に圧接する２つの外リップ４ｃとこれら２つの外リップ４ｃの間に形成された溝部４ｄにより、ハウジング本体２の一体ゴム栓収納部２ｂの図示する所定位置に一体ゴム栓４を摺動させながらセットする際の摺動性が向上して、所定位置への容易なセットが可能となると共に、セット後は一体ゴム栓収納部２ｂ内壁と一体ゴム栓４との間に充分に高い水密性が得られる。
【００２８】
この一体ゴム栓４に設けられた電線挿通孔４ｂは端子挿入口２ａとリアホルダ３の案内筒３ａとに連通している。
【００２９】
図３に、このようなコネクタハウジングＡ１の案内筒３ａから端子挿入口２ａへ電線付き端子１を挿入する途中の状態をモデル的に示す。
【００３０】
図３では端子１のタブ１ａ先端が一体ゴム栓４の電線挿通孔４ｂに至った状態が示されている。
【００３１】
図３に示される段階では、端子１は案内筒３ａの入り口付近に設けられた前記テーパ部３ｃが許す範囲で自由に動ける。
【００３２】
端子１は電線１ｄによる把持及び誘導により案内筒３ａ内部を相手方コネクタ接続方向に移動する。端子１のタブ１ａ先端は一体ゴム栓４の側面に傾斜した状態で当接する。ここで一体ゴム栓４の側面には電線挿通孔４ｂに向かって電線挿通リップ４ａが形成されているので、端子１の上記タブ１ａ先端は、端子１の挿入方向への進行に従い、案内筒３ａの入り口付近に設けられたテーパ部３ｃによって上記電線挿通孔４ｂへと誘導される。
【００３３】
また、端子１の挿入の際には、図中下方向に電線把持部を移動させながら挿入作業を行うことにより、一体ゴム栓４の側面によるタブ１ａの先端誘導がなくてもタブ１ａ先端の電線挿通孔４ｂへの誘導を可能とすることができる。
【００３４】
このようにテーパ部３ｃにより端子１のタブ１ａ先端が、一体ゴム栓４の電線挿通孔４ｂに誘導されるので、一体ゴム栓４とタブ１ａ先端とは垂直ないし垂直に近い角度で当接することがなく、その結果、一体ゴム栓４の電線挿通孔４ｂ付近の、タブ１ａ先端との摩擦による傷の発生が、予め防止されている。
【００３５】
なお、テーパ部３ｃの大きさは、案内筒３ａに挿入された端子１のタブ１ａ先端が一体ゴム栓４の電線挿通孔４ｂに傾斜した状態で誘導される大きさであることが必要である。しかし、テーパ部３ｃの大きさが余りに大きすぎると、図４にモデル的に示すように電線挿通孔４ｂを越えて、一体ゴム栓４の、タブ１ａとは反対側の部分に大きな角度で当接してしまうので、その部分に傷を付けてしまう懸念が発生する。このようにテーパ部３ｃは適切な大きさで設ける必要がある。
【００３６】
図５に、電線付き端子１のコネクタハウジングＡ１内の端子収納空間内への収納・保持された状態をモデル的に示す。
【００３７】
このように端子収納空間の内部に電線付き端子１が収納されたとき、電線挿通孔４ｂ内側面に２条設けられた電線挿通リップ４ａは電線１ｄの周囲と圧接するので確実な水密性が得られる。
【００３８】
なお、上記においては、１つの端子が内部に収納されるタイプのコネクタについて説明したが、本発明では、複数の端子（単数列複数行、複数列単数行、あるいは複数列複数行等）が内部に収納されるタイプのコネクタにおいても好適に応用でき、その場合も本発明に含まれる。
【産業上の利用可能性】
【００３９】
本発明に係るコネクタによれば、端子挿入方向に平行な、タブの中心軸と箱部の中心軸との偏位が大きい端子を用いるコネクタであっても、防水性に対する不安がない防水コネクタとすることができるので、防水コネクタ分野において広く用いることができる。
【図面の簡単な説明】
【００４０】
【図１】（ａ）本発明に係る防水コネクタ（この場合、雌コネクタ）Ａを形成する、コネクタハウジングＡ１のモデル断面図である。（ｂ）電線に接続されて用いられる端子１（コネクタハウジングＡ１とともに本発明に係る防水コネクタを構成する）のモデル斜視図である。
【図２】（ａ）コネクタハウジングＡ１の一体ゴム栓４付近の拡大断面図である。（ｂ）電線１ｄに接続された端子１のモデル側面図である。
【図３】コネクタハウジングＡ１の端子挿入口２ａ内に電線付き端子１を挿入する途中の状態を示すモデル断面図である。
【図４】テーパ部３ｃが大きすぎた場合の説明図である。
【図５】電線付き端子１がコネクタハウジングＡ１の端子挿入口２ａに収納された状態を示すモデル断面図である。
【図６】従来のコネクタでの問題点を示す部分拡大モデル断面図である。
【符号の説明】
【００４１】
Ａ      雌コネクタ
Ａ１    コネクタハウジング
１      端子
１ａ    タブ
１ｂ    電線接続部
１ｃ    箱部
１ｄ    電線
２      ハウジング本体
２ａ    端子挿入口
２ａ１  係止片
２ａ２  係止部
２ａ３  タブ突き出し孔
２ｃ    フード
３      リアホルダ
３ａ    案内筒
３ｃ    テーパ部
４      一体ゴム栓（防水手段）
４ａ    電線挿通リップ
４ｂ    電線挿通孔
【図１】
2007123036.tif 000003
【図２】
2007123036.tif 000004
【図３】
2007123036.tif 000005
【図４】
2007123036.tif 000006
【図５】
2007123036.tif 000007
【図６】
2007123036.tif 000008